【事件の表示】
　特願２００２−５５８６１２「電気的な回路モジュール、回路モジュール装置および回路モジュールおよび回路モジュール装置の使用」拒絶査定不服審判事件〔平成１４年　７月２５日国際公開、ＷＯ０２／５８２３９、平成１６年　６月１０日国内公表、特表２００４−５１７５８３〕について、次のとおり審決する。
【結　論】
　本件審判の請求は、成り立たない。
【理　由】
１．手続きの経緯 
　本願は、平成１４年１月１７日（パリ条約による優先権主張外国庁受理２００１年１月１８日、ドイツ連邦共和国）を国際出願日とする出願であって、平成２０年１０月２３日付けで拒絶査定され、これに対して平成２１年１月２８日付けで拒絶査定不服審判の請求がなされるとともに、同年２月２６日付けで手続補正書が提出されたものである。
　　
　　　　　
２．本願発明 
　本願の請求項１に係る発明は、平成２１年２月２６日付け手続補正書によって補正された特許請求の範囲の請求項１に記載された事項により特定される、以下のとおりのものである（以下「本願発明」という）。
　　　　  
「【請求項１】　１つの電圧制御されるスイッチ（１）を備え、該スイッチはＫ＞１個の送信機入力側（２）およびＬ＞１個の受信機入力側（３）並びに１つの出力側（４）を有しておりかつ前記入力側（２，３）の１つを選択的に前記出力側（４）に電気的に導電接続し、
　低域フィルタ（５，６）を形成する受動素子を備え、該低域フィルタは前記スイッチの送信機入力側（２）に導電接続されており、
　該受動素子は多層セラミック受動モジュールの構成部分であり、該受動モジュールは上下に積み重ねられている誘電体層（８）と導電層（９）とから成る基体（７）を含んでおり、
　前記スイッチ（１）は基体（７）の上側または下側に配置されており、
回路モジュールの受動素子はＫ個の低域フィルタ（５，６）を形成し、
該低域フィルタ（５，６）は高次のフィルタであり、
それぞれの低域フィルタ（５，６）はそれぞれの送信機入力側（２）に導電接続されており、
前記電圧制御されるスイッチ（１）は前記出力側（４）に直接接続されており、かつそれぞれの低域フィルタ（５，６）は前記スイッチ（１）の相応の送信機入力側（２）に直接接続されている
電気的な回路モジュール。」
　　　　
　　　　 　　　
３．引用例 
（１）引用例１について
　原査定の拒絶の理由に引用された特開平９−２８４１６８号公報（以下、「引用例１」という）には、下記の事項が記載されている。
　　　
（ア）「【００４０】前記送信系と受信系を合わせた移動体通信システムを図３に示す。このシステムにおいては、アンテナはＰＨＳ（受信及び送信）とＰＤＣ（受信及び送信）の両モードで共通であり、アンテナスイッチとして、ＳＷ１とＳＷ２の両方の機能を有するＳＷ５が必要になる。
【００４１】このシステムのＰＨＳモードにおける受信時の状態を図４に、同送信の状態を図５に示す。なお、同図において、一点鎖線で示した部分は直接動作させる必要がないため、電源オフ状態にしている。
【００４２】図４ではＳＷ５はＰＨＳモードの受信系に接続され、アンテナから受信された信号はＢＰＦ１、Ｌ１とＣ１からなる並列共振回路から構成されるＢＲＦ１０、及びＬＮＡ１を通り、ＭＩＸ１でバッファーアンプＢＡ１（以下、ＢＡと略称する。）を介してＬＯ１から付与された信号（例えば、1647〜1669ＭHzの信号）との差をとることにより、第１ＩＦ帯 (例えば、248MHz) に周波数変換され、ＢＰＦ７（チャンネル間隔を帯域幅とする。例えば、300 ＫHz）を通過し、ＭＩＸ４でＬＯ４から付与された信号との差をとることにより第２周波数にそれぞれ変換された後、音声信号や画像信号に変換される。
【００４３】一方、図５ではＳＷ５はＰＨＳモードの送信系に接続され、音声信号や画像信号がベースバンド部ＢＢでデジタル信号に変換され、直交変調器ＰＳＫで変調され、ＭＩＸ２でＢＡ２を介してＬＯ１から付与された信号（例えば、1647〜1669ＭHzの信号）との差をとることにより、アップコンバートされる。その後、インダクタＬ１とキャパシタＣ１からなる並列共振回路で構成されたＢＲＦ３０、ＢＰＦ１を通過して、ＰＡ１に入力され、所望の出力まで増幅され、ＳＷ５及びアンテナを通して送信される。
【００４４】ＰＤＣモードの受信の場合は、図４のＳＷ５はＰＤＣモードの受信系に接続され、アンテナから受信された信号はＢＰＦ２、Ｌ２とＣ２からなる並列共振回路から構成されるＢＲＦ２０、及びＬＮＡ１を通り、ＭＩＸ１でバッファーアンプＢＡ１（以下、ＢＡと略称する。）を介してＬＯ１から付与された信号（例えば、1647〜1669ＭHzの信号）との差をとることにより、第１ＩＦ帯 (例えば、248MHz) に周波数変換され、ＢＰＦ７を通過し、ＭＩＸ４でＬＯ４から付与された信号との差をとることにより第２周波数にそれぞれ変換された後、音声信号や画像信号に変換される。
【００４５】一方、ＰＤＣモードの送信の場合は、図５のＳＷ５はＰＤＣモードの送信系に接続され、音声信号や画像信号がベースバンド部ＢＢでデジタル信号に変換され、直交変調器ＰＳＫで変調され、ＭＩＸ２でＢＡ２を介してＬＯ１から付与された信号（例えば、1647〜1669ＭHzの信号）との差をとることにより、アップコンバートされる。その後、インダクタＬ２とキャパシタＣ２からなる並列共振回路で構成されたＢＲＦ４０、ＢＰＦ３を通過して、ＰＡ２に入力され、所望の出力まで増幅され、ＳＷ５及びアンテナを通して送信される。」
　
（イ）図３には、ＳＷ５が、ＰＨＳの送信系の経路に接続される端子、ＰＤＣの送信系の経路に接続される端子、ＰＨＳの受信系の経路に接続される端子、ＰＤＣの受信系の経路に接続される端子、１つのアンテナへの経路と接続される端子を有している点が記載されている。
　そして、「送信系の経路」は、スイッチにおいて送信信号を送信系から入力する側に属するものであり、「受信系の経路」は、スイッチにおいて受信信号を受信系へ入力する側に属するものであり、「アンテナに接続される経路」は、スイッチにおいて送信信号をアンテナへ出力する側に属するものであるから、引用例１の「スイッチ（ＳＷ５）」は、「２個の送信系入力側および２個の受信系入力側並びに１つの出力側を有しておりかつ前記送信系入力側および受信系入力側の１つを選択的に前記出力側に電気的に導電接続」するものであるといえる。
　
（ウ）ＳＷ５は、スイッチの外部から入力される信号によって選択制御が行われるものであることは明らかであるから、何らかの電気的な回路により構成されているといえる。
　　
　よって、上記（ア）乃至（ウ）及び関連図面から、引用例１には実質的に、
「１つのスイッチ（ＳＷ５）を備え、該スイッチは２個の送信系入力側および２個の受信系入力側並びに１つの出力側を有しておりかつ前記送信系入力側および受信系入力側の１つを選択的に前記出力側に電気的に導電接続し、
　前記スイッチ（ＳＷ５）は前記出力側に直接接続されている
電気的な回路。」
の発明（以下、「引用発明」という）が記載されている。
　
（２）引用例２について
　原査定の拒絶の理由に引用された特開２０００−２７８１６８号公報（以下、「引用例２」という）には、下記の事項が記載されている。
　　　
（エ）「【０００１】
【発明の属する技術分野】本発明は、高周波複合部品及びそれを用いる無線通信装置に関し、特に、送信と受信とを選択的に切り換えて通信を行う際に用いられるＧａＡｓスイッチを備えた高周波複合部品及びそれを用いる無線通信装置に関する。」
　　
（オ）「【００１３】
【発明の実施の形態】以下、図面を参照して本発明の実施例を説明する。図１は、本発明に係る高周波複合部品の第１の実施例の回路図である。高周波複合部品１０は、ＰＤＣ（Personal Digital Cellular）方式の携帯電話器に用いられるものであり、ＧａＡｓスイッチＳＷ１と、高周波フィルタである低域通過フィルタＬＰＦ１，ＬＰＦ２と、方向性結合器ＣＯＵとで構成され、第１〜第６ポートＰ１１〜Ｐ１６を備える。
【００１４】ＧａＡｓスイッチＳＷ１は６つの端子Ｓ１１〜Ｓ１６を備え、端子Ｓ１４には低域通過フィルタＬＰＦ１及び方向性結合器ＣＯＵが、端子Ｓ１６には低域通過フィルタＬＰＦ２がそれぞれ接続される。また、端子Ｓ１１〜Ｓ１３，Ｓ１５は高周波複合部品１０の第１〜第３及び第５ポートＰ１１〜Ｐ１３，Ｐ１５となる。
【００１５】方向性結合器ＣＯＵは主線路ＳＬ１と副線路ＳＬ２とで形成され、低域通過フィルタＬＰＦ１は方向性結合器ＣＯＵの主線路ＳＬ１と、その主線路ＳＬ１に並列接続されたコンデンサＣ１とで形成される。また、低域通過フィルタＬＰＦ２はインダクタＬと、そのインダクタＬに並列接続されたコンデンサＣ２とで形成される。」
　　
（カ）「【００１９】図４（ａ）〜図４（ｆ）、図５（ａ）〜図５（ｃ）は、図２の高周波複合部品の積層体を構成する各誘電体層の上面図及び下面図である。
【００２０】積層体１１は、誘電率が６の酸化バリウム、酸化アルミニウム、シリカを主成分とする誘電体セラミックからなる第１〜第８の誘電体層ａ〜ｈを上から順次積層することによって形成される。
【００２１】第１の誘電体層ａの上面にはＧａＡｓスイッチを実装するためのランドＬａ、配線パターンＬｐが形成される。また、第２、第８の誘電体層ｂ，ｈの上面にはグランド電極Ｇｐ１，Ｇｐ２がそれぞれ形成される。
【００２２】さらに、第３の誘電体層ｃの上面には配線パターンＬｐが形成される。また、第４、第５の誘電体層ｄ，ｅの上面にはストリップ電極Ｓｐ１〜Ｓｐ４がそれぞれ形成される。
【００２３】さらに、第６、第７の誘電体層ｆ，ｇの上面にはコンデンサ電極Ｃｐ１〜Ｃｐ６がそれぞれ形成される。また、第８の誘電体層ｈの下面（図４（ｃ）中でｈｕの符号を付す）には高周波複合部品１０の第１〜第６のポートＰ１〜Ｐ６となる外部端子Ｔ１〜Ｔ６、グランドとなるグランド端子ＴＧが形成される。
【００２４】なお、ストリップ電極Ｓｐ１〜Ｓｐ４、コンデンサ電極Ｃｐ１〜Ｃｐ６、グランド電極Ｇｐ１，Ｇｐ２、ランドＬａ、外部端子Ｔ１〜Ｔ６及びグランド端子ＴＧは、各誘電体層に形成されたビアホール電極Ｖｈや配線パターンＬｐで適宜接続される。
【００２５】なお、方向性結合器ＣＯＵの主線路ＳＬ１はストリップ電極Ｓｐ３、副線路ＳＬ２はストリップ電極Ｓｐ１で構成される。また、低域通過フィルタＬＰＦ１のコンデンサＣ１はコンデンサ電極Ｃｐ１，Ｃｐ３，Ｃｐ４で構成される。さらに、低域通過フィルタＬＰＦ２のインダクタＬはストリップ電極Ｓｐ２，Ｓｐ４で、コンデンサＣ２はコンデンサ電極Ｃｐ２，Ｃｐ５，Ｃｐ６でそれぞれ構成される。
【００２６】以上のような構成で、図１の高周波複合部品１０を構成する方向性結合器ＣＯＵ、低域通過フィルタＬＰＦ１，ＬＰＦ２を内蔵する積層体１１が形成される。そして、この積層体１１にＧａＡｓスイッチＳＷ１を搭載し、金属キャップ１２を取り付けることにより図２に示したような高周波複合部品１０が完成する。」　
　　
（キ）「【００３７】図８は、一般的な無線通信装置であるＰＣＤ方式の携帯電話器のＲＦブロック図である。携帯電話器４０は、送受信用アンテナＡＮＴ１と、受信用アンテナＡＮＴ２と、スイッチＳＷ１を介して送受信用アンテナＡＮＴ１に接続される送信部Ｔｘと、スイッチＳＷ１を介して送受信用アンテナＡＮＴ１、受信用アンテナＡＮＴ２に接続される受信部Ｒｘとを含む。
【００３８】なお、送信部Ｔｘは、低域通過フィルタＬＰＦ１、方向性結合器ＣＯＵ、高出力増幅器ＰＡ及びミキサＭＩＸ１で構成され、受信部Ｒｘは、帯域通過フィルタである弾性表面波フィルタＳＡＷ、低雑音増幅器ＬＮＡ、及びミキサＭＩＸ２を備える。また、送信部ＴｘのミキサＭＩＸ１及び受信部ＲｘのミキサＭＩＸ２の一方の入力には局部信号を発生するシンセサイザＳＹＮが接続される。
【００３９】そして、図８（ａ）に示すように、携帯電話器４０のＲＦ部の一部であるスイッチＳＷ１、送信部Ｔｘの方向性結合器ＣＯＵ及び低域通過フィルタＬＰＦ１、並びにＧａＡｓスイッチＳＷ１と第６ポートＰ１６との間に配設された低域通過フィルタＬＰＦ２に、図１に示す高周波複合部品１０を用いる。」
　　
（ク）上記（オ）及び（キ）、図１及び図８の記載から、引用例２には、ＧａＡｓスイッチＳＷ１を備え、該ＧａＡｓスイッチＳＷ１が、送受信用アンテナに接続される端子（Ｓ１１）を有し、送信部の一部を構成する低域通過フィルタＬＰＦ１に接続される点が記載されている。
　
（ケ）図１には、低域通過フィルタＬＰＦ１及びＬＰＦ２が、３つのコンデンサと１つのインダクタからなるπ型構成であることが記載され、π型構成のフィルタは高次のフィルタであることを考慮すると、引用例２には、低域通過フィルタＬＰＦ１及びＬＰＦ２が受動素子で構成された高次のフィルタであることが記載されているといえる。
　
（コ）上記（カ）には、ＧａＡｓスイッチＳＷ１が積層体１１に搭載される点、積層体１１が低域通過フィルタＬＰＦ１及びＬＰＦ２を内蔵する点が記載され、図４及び図５には、積層体１１が上面に配線パターン等を形成した複数の誘電体層の積層構造である点が記載されている。
　
　よって、上記（エ）乃至（コ）及び関連図面から、引用例２には下記の事項（以下、「引用例２記載事項」という」）が記載されている。
「送信と受信とを選択的に切り換えるＧａＡｓスイッチを備えた高周波複合部品において、
　前記ＧａＡｓスイッチは積層体に搭載され、前記積層体は上面に配線パターン等を形成した複数の誘電体層を積層して形成した低域通過フィルタＬＰＦ１及び低域通過フィルタＬＰＦ２を内蔵し、前記低域通過フィルタＬＰＦ１及び低域通過フィルタＬＰＦ２は受動素子で構成された高次のフィルタであり、前記ＧａＡｓスイッチは送信部の一部を構成する低域通過フィルタＬＰＦ１に接続された構成であること。」
　　
　　　　　　　　　　  
４．対比 
（１）本願発明と引用発明との対応関係について
　引用発明の「１つのスイッチ（ＳＷ５）」と本願発明の「１つの電圧制御されるスイッチ（１）」とは、「１つのスイッチ」である点で共通している。
　
　引用発明の「電気的な回路」と本願発明の「電気的な回路モジュール」とは、「電気的な回路」である点で共通している。
　　
（２）本願発明と引用発明の一致点について
　上記の対応関係から、本願発明と引用発明は、
「１つのスイッチを備え、該スイッチはＫ＞１個の送信機入力側およびＬ＞１個の受信機入力側並びに１つの出力側を有しておりかつ前記入力側の１つを選択的に前記出力側に電気的に導電接続し、
　前記電圧制御されるスイッチは前記出力側に直接接続されている
電気的な回路。」
の点で一致している。
　　　　　
（３）本願発明と引用発明の相違点について
　本願発明と引用発明とは、下記の点で相違する。
　　
（相違点Ａ）本願発明は、「１つの電圧制御されるスイッチ（１）」であるのに対して、引用発明のスイッチ（ＳＷ５）は電圧制御されるものであるか不明な点。
　　　　
（相違点Ｂ）本願発明は、「低域フィルタ（５，６）を形成」し「多層セラミック受動モジュールの構成部分」である受動素子、「上下に積み重ねられている誘電体層（８）と導電層（９）とから成る基体（７）を含ん」だ受動モジュール、「基体（７）の上側または下側に配置」されたスイッチ（１）、「Ｋ個の低域フィルタ（５，６）を形成し、該低域フィルタ（５，６）は高次のフィルタ」である回路モジュールの受動素子、を含むものであるのに対し、引用発明にはそれらの構成が記載されていない。
　　
（相違点Ｃ）本願発明は、「低域フィルタは前記スイッチの送信機入力側（２）に導電接続されており」、「それぞれの低域フィルタ（５，６）はそれぞれの送信機入力側（２）に導電接続されており」、「それぞれの低域フィルタ（５，６）は前記スイッチ（１）の相応の送信機入力側（２）に直接接続されている」のに対して、引用発明は送信機入力側（２）に接続される低域フィルタを備えていない点。
　　
（相違点Ｄ）
  本願発明は「電気的な回路モジュール」であるのに対し、引用発明は回路モジュールとして構成されていない点。
　　
　
５．当審の判断 
（１）相違点Ａについて
　引用例１の図９には、スイッチＩＣを構成するスイッチング素子に電圧により制御されるＦＥＴを用いることが記載されている。
　よって、引用発明の「１つのスイッチ（ＳＷ５）」を、電圧により制御されるＦＥＴのスイッチング素子により構成し、相違点Ａの「１つの電圧制御されるスイッチ（１）」とすることには、格別の困難性は認められない。
　
（２）相違点Ｂ、相違点Ｄについて
　上記３．（２）の引用例２記載事項に示したとおり、引用例２には、
「送信と受信とを選択的に切り換えるＧａＡｓスイッチを備えた高周波複合部品において、
　前記ＧａＡｓスイッチは積層体に搭載され、前記積層体は上面に配線パターン等を形成した複数の誘電体層を積層して形成した低域通過フィルタＬＰＦ１及び低域通過フィルタＬＰＦ２を内蔵し、前記低域通過フィルタＬＰＦ１及び低域通過フィルタＬＰＦ２は受動素子で構成された高次のフィルタであり、前記ＧａＡｓスイッチは送信部の一部を構成する低域通過フィルタＬＰＦ１に接続された構成であること。」
が記載されている。ここで、上記「高周波複合部品」は回路モジュールと呼び得るものであり、上記「誘電体層」にセラミック誘電体を利用することは引用文献を示すまでもなく周知技術にすぎない。
　してみると、引用発明に引用例２記載事項を適用して、相違点Ｂの「『低域フィルタ（５，６）を形成』し『多層セラミック受動モジュールの構成部分』である受動素子、『上下に積み重ねられている誘電体層（８）と導電層（９）とから成る基体（７）を含ん』だ受動モジュール、『基体（７）の上側または下側に配置』されたスイッチ（１）、『Ｋ個の低域フィルタ（５，６）を形成し、該低域フィルタ（５，６）は高次のフィルタ』である回路モジュールの受動素子を含むもの」とし、相違点Ｄの「電気的な回路モジュール」とすることは、当業者が容易に想到し得たものである。　
　
（３）相違点Ｃについて
　移動体通信システムの送信系では、アンテナから送信信号を出力させるためにパワーアンプにより送信信号を増幅する必要があり、このパワーアンプを利用することで発生する高調波歪みを除去するために、パワーアンプの後段に低域フィルタを接続することは、原査定の拒絶の理由に引用された特開平１１−２７１７７号公報の段落【０００５】、特開平１０−２９０１０８号公報の段落【０００５】及び図９、特開平１１−２２０３１２号公報の段落【０００３】及び図８に記載されているように周知技術である。
　また、送信と受信とを選択的に切り換える回路において、切り換えのためのスイッチとパワーアンプとの間に低域フィルタを設けることも、上記引用例２の図８、及び、上記特開平１１−２７１７７号公報の図１１に記載されているように周知技術である。
　一方、引用例１の図３には、送信系としてＳＷ５に出力送信アンプＰＡ１及び出力送信アンプＰＡ２がそれぞれ接続される構成が記載されている。　
　してみると、引用発明において、出力送信アンプが発生する高調波歪みを除去するために、該スイッチの送信系側に低域フィルタを接続して、相違点Ｃの「『低域フィルタは前記スイッチの送信機入力側（２）に導電接続されており』、『それぞれの低域フィルタ（５，６）はそれぞれの送信機入力側（２）に導電接続されており』、『それぞれの低域フィルタ（５，６）は前記スイッチ（１）の相応の送信機入力側（２）に直接接続されている』」とすることは、当業者が容易に想到し得たものである。　
　
（４）本願発明の作用効果について　　　
　本願発明の作用効果も、引用発明、引用例２記載事項、及び周知技術から当業者が予測できる範囲のものである。　　　　
　　
　　　
６．むすび 
　以上のとおり、本願発明は、引用発明、引用例２記載事項、及び周知技術に基いて、当業者が容易に発明をすることができたものであるから、特許法第２９条第２項の規定により特許を受けることができない。 
　したがって、本願は、他の請求項について検討するまでもなく、拒絶されるべきものである。 
　よって、結論のとおり審決する。